(57)【特許請求の範囲】
【請求項１】
水切り穴が形成され、自身の形状を保ったまま自立可能な容器本体と、
当該容器本体の上縁部から外方に向かって延在するフラップと、を備え、
前記容器本体と前記フラップとがシリコン素材により一体成形され、
更に、前記容器本体の上縁部は、平面視すると略直線に形成される直線部を有し、
当該直線部から前記フラップが延在していると共に、
当該延在する長さは、前記直線部から最も遠い位置にある前記上縁部までの距離よりも長くなるように構成される
ことを特徴とするシンク着脱式容器。
【請求項２】
請求項１において、
前記フラップの下面側は研磨により鏡面仕上げとされている
ことを特徴とするシンク着脱式容器。
【請求項３】
請求項１または２のいずれかにおいて、
前記フラップの厚みは、２ｍｍ以下、好ましくは１ｍｍ以下となるように構成される
ことを特徴とするシンク着脱式容器。
【請求項４】
請求項１〜３のいずれかにおいて、
前記容器本体の壁面の厚みは、上から下に向かって徐々に薄くなるように構成されると共に、前記容器本体の底面の厚みは、前記壁面の厚みの中で最も薄い部分よりも厚く構成される
ことを特徴とするシンク着脱式容器。
【発明の詳細な説明】
【技術分野】
【０００１】
本発明は、ゴミ入れとしても利用可能な容器に関し、主に台所のシンクで使用する容器に関する。
【背景技術】
【０００２】
従来から、台所のシンクで使用するゴミ入れ等の容器には多数の種類の製品が存在し、また発明もなされている。
【０００３】
例えば、台所の流し台に貼り付けて使用する使い捨てゴミ袋の発明もその一つである（特許文献１参照）。
【先行技術文献】
【特許文献】
【０００４】
【特許文献１】特開２０１７−２０２８７８号公報
【発明の概要】
【発明が解決しようとする課題】
【０００５】
しかしながら、特許文献１に記載の発明は、「使い捨て」という性質上繰り返し使用することができない。また、シンクへの取付けをシール（粘着剤）に頼っているが、シンク周りの水分によって、取付けが不安定になる可能性が高い。また、一度貼り付けた後に、取り付け場所を変更しようとすると、粘着力低下によってうまく取り付けられない場合もある。更に、ゴミを入れるとその重みによって袋部分の形状が崩れてしまうといった問題もある。
【０００６】
そこで本発明は、こういった問題点を解決するべくなされたものであって、シール（粘着剤）を使用することなくシンクに自由に着脱することができると共に、使い捨てでなく繰り返し利用可能で衛生的な容器を提供する事をその課題としている。
【課題を解決するための手段】
【０００７】
上記課題を解決するべく、本願発明は、水切り穴が形成され、自身の形状を保ったまま自立可能な容器本体と、当該容器本体の上縁部から外方に向かって延在するフラップと、を備え、前記容器本体と前記フラップとがシリコン素材により一体成形されていることを特徴とする。
【０００８】
このような構成を採用したことにより、容器本体をシンクの壁面に沿うように配置した上で、フラップをシンク周りの天面に面接触させることによって、容器本体を固定することを可能としている。（フラップの）シリコン自体が有する密着力を利用して固定するため、シール（粘着剤）のように取付けが不安定になることもないし、好きな位置に何度でも付け換えて使用することができる。また、全体がシリコンで一体成形されているため、容易に洗浄して繰り返し使用することも可能である。更に、容器本体は自立できる程度の剛性をもって作られているため、内容物が多少入ったとしても形状が大きく崩れてしまうこともない。
【０００９】
また、前記容器本体の上縁部は、平面視すると略直線に形成される直線部を有し、当該直線部から前記フラップが延在していることを特徴とする。
【００１０】
このような構成を採用したことにより、シンク壁面に容器本体を据わり良く固定することができる。
【００１１】
また、前記フラップの下面側は研磨により鏡面仕上げとされていることを特徴とする。
【００１２】
このような構成を採用したことにより、フラップの密着力を向上させ、容器本体の固定をより確実なものとしている。
【００１３】
また、前記フラップの厚みは、２ｍｍ以下、好ましくは１ｍｍ以下となるように構成されることを特徴とする。
【００１４】
このような構成を採用することにより、フラップが、平面のみならず例えば「段差を有する面」にも柔軟に追従して面接触可能となり、取り付け場所の自由度が高まっている。
【００１５】
また、前記容器本体の壁面の厚みは、上から下に向かって徐々に薄くなるように構成されると共に、前記容器本体の底面の厚みは、前記壁面の厚みの中で最も薄い部分よりも厚く構成されることを特徴とする。
【００１６】
このような構成を採用することにより、容器本体に内容物を入れたまま周りから握りつぶすようにして水切りなどし易くなっていると共に、底面の厚さが確保されているため、内容物が入った際に、底面が下方に垂れ下がり難く、また、自立させやすいという効果を発揮している。
【発明の効果】
【００１７】
本発明を適用することで、シール（粘着剤）を使用することなくシンクに対して自由に着脱できると共に、使い捨てでなく繰り返し利用可能で衛生的な容器を提供することができる。
【図面の簡単な説明】
【００１８】
【図１】本発明の実施形態の一例であるシンク着脱式容器の斜視図である。
【図２】本発明の実施形態の一例であるシンク着脱式容器の中央断面図である。
【図３】シンク着脱式容器をシンクに取り付けた状態を示した図である。
【図４】シンクの周りの天面に段差がある場所に取り付けた状態を示した側面図である。
【図５】本体部を自立させて載置した状態を示した図であって、フラップを外側にした状態を示した図である。
【図６】本体部を自立させて載置した状態を示した図であって、フラップを内側に入れた状態を示した図である。
【発明を実施するための形態】
【００１９】
以下、添付図面を参照しつつ、本発明の実施形態の一例であるシンク着脱式容器１００について説明を加える。なお、図面理解容易の為、各部の大きさや寸法を誇張して表現している部分があり、実際の製品と必ずしも一致しない部分があることを付記しておく。また各図面は符号の向きに見るものとし、当該向きを基本に上下左右、手前、奥と表現する。
【００２０】
〈シンク着脱式容器の構成〉
シンク着脱式容器１００は、底面に複数の水切り穴１０３が形成された有底略楕円筒形に形成された容器本体１０２と、当該容器本体１０２の上縁部１０４から外方に向かって延在するフラップ１１０と、を備えて構成される。
【００２１】
容器本体１０２とフラップ１１０とは、シリコン素材により一体成形されており、更に、段差なく面一となるように構成される（図２の断面図を参照）。
【００２２】
容器本体１０２を平面視すると、略楕円形の一部が直線的に構成された直線部１０５を有している。フラップ１１０は、容器本体１０２の上縁部１０４におけるこの直線部１０５から、容器本体１０２の外方に向かって水平方向に延在するように構成される。なお、図面上は水平方向に真っ直ぐ延在するように描かれているが、実際には、自由状態においては、シリコン製のフラップ１１０は自重によって下方に垂れ下がる。
【００２３】
また、容器本体１０２を構成する壁面の厚みは、図２の断面図に示しているように、上から下に向かって徐々に薄くなるように構成される。即ち、上方の厚みＴ１よりも下方の厚みＴ２の方が小さくなるように構成されている。
【００２４】
更に、容器本体１０２の底面の厚みは、壁面の厚みの中で最も薄い部分よりも厚く構成される。即ち、底面の厚みＴ３の方が、壁面の中で最も薄い部分の厚みＴ２よりも厚くなるように構成されている。
【００２５】
フラップ１１０は、平面視略矩形に構成されており、厚みは全体に渡って１ｍｍ程度とされている。また、フラップ１１０の下面のみが研磨により鏡面仕上げとされている。
【００２６】
〈シンク着脱式容器の作用・機能〉
シンク着脱式容器１００は、図３に示しているように、容器本体１０２をシンク１０の内壁に当接させるように配置し、更に、シンク１０周りの天面１２の部分に、フラップ１１０の下面を面接触させる。基本的これだけの作業で取付けが完了する。このとき、フラップ１１０に皺が生じたりしないよう、フラップ１１０全体がもれなく天面１２に接触するように取り付けることが好ましい。
【００２７】
天面１２に水分などが残っている場合は一旦拭き取ってから取り付ける方が好ましいが、水分が残っていたとしても、フラップ１１０を天面１２に載置し、上から多少手で押さえ付けることによって水分を綺麗に周りに押しやることも可能であり、それでも十分な密着力によって、強固に固定される。
【００２８】
取り外すときや、取り付け場所を変更するときは、フラップ１１０を摘まんで引き剥がし、再度所望の位置に付け直せばよい。
【００２９】
上記構成で説明した通り、本発明の実施形態の一例として示したシンク着脱式容器１００は、複数の水切り穴１０３が形成され、自身の形状を保ったまま自立可能な容器本体１０２と、この容器本体１０２の上縁部１０４から外方に向かって延在するフラップ１１０と、を備え、容器本体１０２とフラップ１１０とがシリコン素材により一体成形されている。
【００３０】
このような構成を採用したことにより、容器本体１０２をシンク１０の壁面に沿うように配置した上で、フラップ１１０をシンク１０周りの天面１２に面接触させることによって、容器本体１０２を固定することを可能としている。（フラップ１１０の）シリコン自体が有する密着力を利用して固定するため、シール（粘着剤）のように取付けが不安定になることもないし、好きな位置に何度でも付け換えて使用することができる。また、全体がシリコンで一体成形されているため、容易に洗浄して繰り返し使用することも可能である。更に、容器本体１０２は自立できる程度の剛性をもって作られているため、内容物が多少入ったとしても形状が大きく崩れてしまうこともない。
【００３１】
また、容器本体１０２の上縁部１０４は、平面視すると略直線に形成される直線部１０５を有し、この直線部１０５からフラップ１１０が延在する構成を採用している。これにより、シンク１０の壁面に容器本体１０２を据わり良く固定することが可能となっている。
【００３２】
また、フラップ１１０の下面のみ、研磨により鏡面仕上げとされているので、フラップ１１０の密着力を向上させ、容器本体１０２の固定がより確実なものとなっている。
【００３３】
また、フラップ１１０の厚みは、全体を通して２ｍｍ以下、好ましくは１ｍｍ以下となるように構成される。
【００３４】
このような構成を採用することにより、フラップ１１０が、図４に示したように平面のみならず例えば「段差を有する面」にも柔軟に追従して面接触可能となり、取り付け場所の自由度が高まっている。なお、フラップ１１０の貼り付け先の材質はステンレス以外であっても、例えば、樹脂、大理石はもちろん、木など表面が多少ザラついているものや、表面加工がされていて平らでない面にも問題なく密着することが可能である。
【００３５】
また、容器本体１０２の壁面の厚みは、上から下に向かって徐々に薄くなるように構成されると共に、容器本体１０２の底面の厚みは、壁面の厚みの中で最も薄い部分よりも厚く構成されていた。
【００３６】
このような構成を採用することにより、容器本体１０２に内容物を入れたまま周りから握りつぶすようにして水切りなどし易くなっていると共に、底面の厚さが確保されているため、内容物が入った際に、底面が下方に垂れ下がり難く、また、自立させやすい。
【００３７】
また、容器本体１０２は、自立可能な剛性をもって作られているため、このまま所望の場所に収納しておくことが可能である。この時フラップ１１０は、容器本体１０２の中に入れるように折り曲げたり（図５参照）、容器本体１０２の外側に垂らしておけばよい（図６参照）。
【符号の説明】
【００３８】
１００・・・シンク着脱式容器
１０２・・・容器本体
１０３・・・水切り穴
１０４・・・上縁部
１０５・・・直線部
１１０・・・フラップ
【要約】
【課題】
シール（粘着剤）を使用することなくシンクに自由に着脱することができると共に、使い捨てでなく繰り返し利用可能で衛生的な容器を提供する。
【解決手段】
複数の水切り穴１０３が形成され、自身の形状を保ったまま自立可能な容器本体１０２と、この容器本体１０２の上縁部１０４から外方に向かって延在するフラップ１１０と、を備え、容器本体１０２とフラップ１１０とをシリコン素材により一体成形してシンク着脱式容器１００を構成する。
【選択図】図１【図１】
0006745549.tif 000002
【図２】
0006745549.tif 000003
【図３】
0006745549.tif 000004
【図４】
0006745549.tif 000005
【図５】
0006745549.tif 000006
【図６】
0006745549.tif 000007